(57)【要約】      （修正有）【課題】放熱性に優れるとともに、メンテナンスもしやすい磁力駆動ポンプを提供する。【解決手段】台座１１と、インペラーベース部１２と、インペラー部材１３とによって構成する。前記インペラーベース部は、台座と連結され、インペラーベース部は、インペラー収容室１２１と、入水口１２２及び排水口１２３とを備える。インペラー収容室は近接凹状空間１２４を形成し、入水口には前端部１２５が設けられ、前端部は回転軸前方カバー部材Ａに嵌合され、近接凹状空間における前端部に対向する箇所には後端部１２６が設けられ、後端部は回転軸後方カバー部材Ｂに嵌合される。前記回転軸前方カバー部材の外側には、前方カバー環状縁Ａａが設けられ、前方カバー環状縁の外側には、前方カバーねじ部Ａｂが設けられ、回転軸後方カバー部材には、後方カバー環状縁が設けられ、後方カバー環状縁Ｂｓの外側には、後方カバーねじ部Ｂｙが設けられる。【選択図】図２
0003166448.tif 000002
【実用新案登録請求の範囲】
【請求項１】
台座と、インペラーベース部と、インペラー部材とによって構成する磁力駆動ポンプであって、
前記台座には動力部材が設けられ、動力部材の前方は、磁力部を駆動するために磁力部に接続され、磁力部の前縁には磁力部収容室が設けられ、
前記インペラーベース部は、磁力部の前側に配置されるとともに、台座と連結され、インペラーベース部は、インペラー収容室と、インペラー収容室に連通する入水口及び排水口とを備え、
インペラーベース部のインペラー収容室は、横に延伸して、磁力部収容室に進入する近接凹状空間を形成し、入水口には前端部が設けられ、前端部は回転軸前方カバー部材に嵌合され、近接凹状空間における前端部に対向する箇所には後端部が設けられ、後端部は回転軸後方カバー部材に嵌合され、
前記インペラー部材には、インペラー収容室に収容されるインペラーが設けられ、インペラーの一側は、近接凹状空間に進入する磁力端部を備え、磁力端部には透孔が設けられ、透孔には軸心カバーが嵌合され、軸心カバーには、軸孔が横向きに設けられ、軸孔には、前後が軸心カバーから突出するとともに回転軸前方カバー部材と回転軸後方カバー部材とによって位置決めされる回転軸が嵌めこまれ、前記回転軸前方カバー部材の外側には、回転軸前側を覆う前方カバー環状縁が設けられ、前方カバー環状縁の外側には、前方カバーねじ部が設けられ、回転軸後方カバー部材には、回転軸後側を覆う後方カバー環状縁が設けられ、後方カバー環状縁の外側には、後方カバーねじ部が設けられることを特徴とする、磁力駆動ポンプ。
【請求項２】
前記磁力駆動ポンプには、前方カバーねじ部と後方カバーねじ部により回転軸前方カバー部材と回転軸後方カバー部材の取り外しを行うための組み立て解体部材が設けられ、前記回転軸の中心には軸心孔が設けられ、回転軸前方カバー部材における軸心孔と対向する位置には、入水口及びインペラー収容室に連通する前方継接孔が設けられ、回転軸後方カバー部材における軸心孔に対向する位置には、近接凹状空間に連通する後方継接孔が設けられることを特徴とする、請求項１に記載の磁力駆動ポンプ。
【請求項３】
前記前端部には前方溝部が設けられ、前方溝部には、前方溝部孔が設けられ、回転軸前方カバー部材には、前方溝部に挿入される棒状部材が凸設され、回転軸前方カバー部材には、回転軸を差し込むための前方嵌合溝が凹設され、前方嵌合溝内には、軸心孔及び前方溝部孔と連通する前記前方継接孔が設けられ、
前記後端部には、後方溝部が設けられ、回転軸後方カバー部材には、後方溝部に挿入される後方突部が凸設されるとともに、回転軸後方カバー部材には、回転軸を差し込むための後方嵌合溝が設けられ、後方嵌合溝内には、軸心孔と連通する前記後方継接孔が設けられ、後方溝部内には第一凸リブが設けられ、回転軸後方カバー部材には、第一凸リブに連結される後方係合溝が凹設され、前記後方嵌合溝内には、第二凸リブが設けられ、回転軸には、第二凸リブと連結される回転軸嵌合溝が設けられることを特徴とする、請求項２に記載の磁力駆動ポンプ。
【考案の詳細な説明】
【技術分野】
【０００１】
本考案は磁力駆動ポンプに関し、特に液体を抽出する磁力駆動ポンプに関する。
【背景技術】
【０００２】
まず、図１を参照する。図１は、従来の磁力駆動ポンプの構造を示した概略図である。従来の磁力駆動ポンプ９には台座９０が設けられ、台座９０の前側にはインペラーベース部９１が連結され、インペラーベース部９１は、インペラー収容室９１１と、インペラー収容室９１１に連通する入水口９１３及び排水口９１４とを備え、インペラーベース部９１のインペラー収容室９１１は横に延伸して近接凹状空間９１２を形成する。また、インペラー収容室９１１にはインペラー９３が収容され、インペラー９３は、近接凹状空間９１４に進入する磁力端部９４を備え、磁力端部９４は軸心カバー９５に嵌合される。軸心カバー９５には、回転軸９６が横向きに貫設され、入水口９１３には、回転軸９６の前端を位置決めする前端部９１５が一体化して設けられ、近接凹状空間９１２における前端部９１５に対向する位置には、回転軸９６の後端を位置決めする後端部９１６が一体化して設けられる。
【０００３】
しかしながら、インペラーベース部９１における一体化された前端部９１５と後端部９１６は、以下の二つの問題が生じる。
一つ目は、前端部９１５と後端部９１６の精度に瑕疵があるとき、回転軸９６は位置が定まらず、磁力端部９４がずれて近接凹状空間９１４内で機能しなくなる、という問題である。
二つ目は、回転軸９６には放熱設計がなされておらず、回転軸９６と軸心カバー９５が摩擦による過熱で機能しなくなることがある、という問題である。
【考案の概要】
【考案が解決しようとする課題】
【０００４】
そこで、本考案は、放熱性に優れるとともに、メンテナンスもしやすい磁力駆動ポンプを提供することを目的とする。
【課題を解決するための手段】
【０００５】
本考案による磁力駆動ポンプは、台座と、インペラーベース部と、インペラー部材とによって構成する。前記台座には動力部材が設けられ、動力部材の前方は、磁力部を駆動するために磁力部に接続され、磁力部の前縁には磁力部収容室が設けられる。前記インペラーベース部は、磁力部の前側に配置されるとともに、台座と連結され、インペラーベース部は、インペラー収容室と、インペラー収容室に連通する入水口及び排水口とを備える。インペラーベース部のインペラー収容室は、横に延伸して、磁力部収容室に進入する近接凹状空間を形成し、入水口には前端部が設けられ、前端部は回転軸前方カバー部材に嵌合され、近接凹状空間における前端部に対向する箇所には後端部が設けられ、後端部は回転軸後方カバー部材に嵌合される。前記インペラー部材には、インペラー収容室に収容されるインペラーが設けられ、インペラーの一側は、近接凹状空間に進入する磁力端部を備え、磁力端部には透孔が設けられ、透孔には軸心カバーが嵌合され、軸心カバーには、軸孔が横向きに設けられ、軸孔には、前後が軸心カバーから突出するとともに回転軸前方カバー部材と回転軸後方カバー部材とによって位置決めされる回転軸が嵌めこまれ、前記回転軸前方カバー部材の外側には、回転軸前側を覆う前方カバー環状縁が設けられ、前方カバー環状縁の外側には、前方カバーねじ部が設けられ、回転軸後方カバー部材には、回転軸後側を覆う後方カバー環状縁が設けられ、後方カバー環状縁の外側には、後方カバーねじ部が設けられる。
【図面の簡単な説明】
【０００６】
【図１】従来技術の構造を示した概略図である。
【図２】本考案の構造を示した概略図である。
【図３】本考案の回転軸前方カバー部材と組み立て解体部材を示した概略図である。
【図４】本考案の回転軸後方カバー部材と組み立て解体部材を示した概略図である。
【図５】本考案の前端部を示した分解斜視図である。
【図６】本考案の後端部を示した分解斜視図である。
【考案を実施するための形態】
【０００７】
図２から図４を参照する。図２は、本考案の構造を示した概略図であり、図３は、本考案の回転軸前方カバー部材と組み立て解体部材を示した概略図であり、図４は、本考案の回転軸後方カバー部材と組み立て解体部材を示した概略図である。本考案による磁力駆動ポンプ１は、少なくとも、台座１１と、インペラーベース部１２と、インペラー部材１３とによって構成する。台座１１には動力部材４が設けられ、動力部材４の前方は磁力部５に接続されて、磁力部５は動力部材４により駆動される。磁力部５の前縁には、磁力部収容室５１が設けられる。
【０００８】
インペラーベース部１２は、磁力部５の前側に配置されるとともに、台座１１と連結される。また、インペラーベース部１２は、インペラー収容室１２１と、インペラー収容室１２１に連通する入水口１２２及び排水口１２３とを備え、インペラーベース部１２のインペラー収容室１２１は、横に延伸して、磁力部収容室５１に進入する近接凹状空間１２４を形成する。入水口１２２には前端部１２５が設けられ、前端部１２５は回転軸前方カバー部材Ａに嵌合される。また、近接凹状空間１２４における前端部に対向する箇所には後端部１２６が設けられ、後端部１２６は回転軸後方カバー部材Ｂに嵌合される。
【０００９】
インペラー部材１３には、インペラー収容室１２１に収容されるインペラー１３１が設けられ、インペラー１３１の一側は、近接凹状空間１２４に進入する磁力端部１３２を備え、磁力端部１３２には透孔１３３が設けられ、透孔１３３には軸心カバー６が嵌合され、軸心カバー６には、軸孔６１が横向きに設けられ、軸孔６１には、前後が軸心カバー６から突出するとともに回転軸前方カバー部材Ａと回転軸後方カバー部材Ｂによって位置決めされる回転軸７が嵌めこまれる。回転軸前方カバー部材Ａの外側には、回転軸７の前側を被覆する前方カバー環状縁Ａａが設けられ、前方カバー環状縁Ａａの外側には、前方カバーねじ部Ａｂが設けられる。また、回転軸後方カバー部材Ｂには、回転軸７の後側を覆う後方カバー環状縁Ｂｓが設けられ、後方カバー環状縁Ｂｓの外側には、後方カバーねじ部Ｂｙが設けられる。
【００１０】
回転軸７の中心には軸心孔７１が設けられ、回転軸前方カバー部材Ａにおける軸心孔７１と対向する位置には、入水口１２２とインペラー収容室１２１に連通する前方継接孔Ａ１が設けられる。また、回転軸後方カバー部材Ｂにおける軸心孔７１と対向する位置には、近接凹状空間１２４と連津する後方継接孔Ｂ１が設けられる。そして、回転軸７に嵌合されて位置決め機能を発揮する回転軸前方カバー部材Ａと回転軸後方カバー部材Ｂを、前端部１２５と後端部１２６のそれぞれ個別に差し込む。このように、回転軸前方カバー部材Ａと回転軸後方カバー部材Ｂを独立して設けることにより、インペラー部材１３と回転軸７を素早く交換及びメンテナンスできるようになり、本考案による磁力駆動ポンプ１はメンテナンスコストを大幅に下げることができる。また、回転軸７の軸心孔７１と前方継接孔Ａ１と後方継接孔Ｂ１により、液体Ｈを放熱させることができ、それにより、回転軸７の使用で生じた熱エネルギーを磁力駆動ポンプ１の外へ完全に放出することが可能になる。この熱エネルギーの放出によって、回転軸７と関連部品の損傷が生じる確率を下げることができるとともに、回転軸７と関連部品の使用寿命を延ばすことができる。そして、この寿命の延長により、磁力駆動ポンプ１は、メンテナンスコストを下げる効果が生じる（図２に図示）。また、本考案の磁力駆動ポンプ１には、前方カバーねじ部Ａｂと後方カバーねじ部Ｂｙにより回転軸前方カバー部材Ａと回転軸後方カバー部材Ｂの取り外しを行うための組み立て解体部材Ｃが設けられる。この組み立て解体部材Ｃにより、回転軸前方カバー部材Ａと回転軸後方カバー部材Ｂの正確且つ素早い解体を実現することができるため、回転軸前方カバー部材Ａと回転軸後方カバー部材Ｂによる回転軸７の位置決めの正確性を更に高めることができるとともに、回転軸７を素早く交換・メンテナンスできる効果が生じる（図３と図４に図示）。
【００１１】
図５を参照する。図５は、本考案の前端部を示した分解斜視図である。前端部１２５には、さらに前方溝部１２５ａが設けられる。前方溝部１２５ａには、貫通する前方溝部孔１２５ｂが設けられる。また、回転軸前方カバー部材Ａには、前方溝部１２５ａに挿入される棒状部材Ａ２が凸設され、さらに、回転軸前方カバー部材Ａには、回転軸７を差し込むための前方嵌合溝Ａ３が凹設され、前方嵌合溝Ａ３内には、軸心孔７１及び前方溝部孔１２５ｂと連通する前方継接孔Ａ１が設けられる。この構造により、前方溝部孔１２５ｂに棒状部材Ａ２を差し込むことで、回転軸前方カバー部材Ａと回転軸７の位置決め効果を高めることができる。
【００１２】
図６を参照する。図６は、本考案の後端部を示した分解斜視図である。後端部１２６には、さらに後方溝部１２６ａが設けられ、後方溝部１２６ａ内には、第一凸リブ１２６ｂが設けられる。回転軸後方カバー部材Ｂには、後方溝部１２６ａに挿入される後方突部Ｂａが凸設されるとともに、第一凸リブ１２６ｂに連結される後方係合溝Ｂ３が凹設される。また、回転軸後方カバー部材Ｂには、回転軸７を差し込むための後方嵌合溝Ｂ２が設けられ、後方嵌合溝Ｂ２内には、第二凸リブＢ４と、軸心孔７１に連通する後方継接孔Ｂ１が設けられる。また、回転軸７には、第二凸リブＢ４に連結される回転軸嵌合溝７２が設けられる。この構造により、後方突部Ｂａを後方溝部１２６ａに差し込むことで、回転軸後方カバー部材Ｂを回転軸７の後側にしっかりと位置決めさせることができる。
【符号の説明】
【００１３】
（従来技術）
９        磁力駆動ポンプ        
９０      台座
９１      インペラーベース部        
９１１    インペラー収容室
９１２    近接凹状空間        
９１３    入水口
９１４    排水口      
９１５    前端部
９１６    後端部        
９３      インペラー
９４      磁力端部          
９５      軸心カバー
９６      回転軸
（本創作）
Ａ        回転軸前方カバー部材          
Ａａ      前方カバー環状縁
Ａｂ      前方カバーねじ部        
Ａ１      前方継接孔
Ａ２      棒状部材            
Ａ３      前方嵌合溝
Ｂ        回転軸後方カバー部材          
Ｂａ      後方突部
Ｂｓ      後方カバー環状縁        
Ｂｙ      後方カバーねじ部
Ｂ１      後方継接孔        
Ｂ２      後方嵌合溝
Ｂ３      後方係合溝      
Ｂ４      第二凸リブ
Ｃ        組み立て解体部材          
Ｈ        液体
１        磁力駆動ポンプ          
１１      台座
１２      インペラーベース部        
１２１    インペラー収容室
１２２    入水口        
１２３    排水口
１２４    近接凹状空間      
１２５    前端部
１２５ａ  前方溝部    
１２５ｂ  前方溝部孔
１２６    後端部        
１２６ａ  後方溝部
１２６ｂ  第一凸リブ    
１３      インペラー部材
１３１    インペラー          
１３２    磁力端部
１３３    透孔          
４        動力部材
５        磁力部            
５１      磁力部収容室
６        軸心カバー            
６１      軸孔
７        回転軸              
７１      軸心孔
７２      回転軸嵌合溝
【図１】
0003166448.tif 000003
【図２】
0003166448.tif 000004
【図３】
0003166448.tif 000005
【図４】
0003166448.tif 000006
【図５】
0003166448.tif 000007
【図６】
0003166448.tif 000008